(57)【特許請求の範囲】
【請求項１】
前身頃、後身頃及び両者間に位置する股下部からなり、少なくとも股下部に吸収体を備え、前身頃と後身頃とが両側部で相互に接合されることにより、ウエスト開口部と両レッグ開口部とが形成されたパンツ型おむつであって、該ウエスト開口部において、後身頃の上端ラインが凸状曲線を成していると共に、この凸状曲線に沿って弾性伸縮部材が備わっており、且つ前身頃の上端ラインが凹状曲線を成していると共に、この凹状曲線に沿って弾性伸縮部材が備わっているパンツ型おむつであって、
前記凸状曲線と同一方向に弾性伸縮部材による臀部ギャザーが設けられ、且つ、前記凹状曲線と同一方向に弾性伸縮部材による腹部ギャザーが設けられて、後身頃上端による支え機能が付与されていることを特徴とするパンツ型おむつ。
【請求項２】
後身頃の上端ラインにおいて、凸状曲線の最上位置が後身頃中央部に形成されていることを特徴とする請求項１記載のパンツ型おむつ。
【請求項３】
前身頃の上端ラインにおいて、凹状曲線の最下位置が前身頃中央部に形成されていることを特徴とする請求項１記載のパンツ型おむつ。
【請求項４】
後身頃の後ウエスト部の縦幅が、前身頃の前ウエスト部の縦幅の１２０〜２５０％であることを特徴とする請求項１記載のパンツ型おむつ。
【発明の詳細な説明】
【０００１】
【発明の属する技術分野】
この発明は、使い捨ておむつに関し、更に詳しくは、着用した場合、ズリ下がり防止可能なパンツ型おむつに関する。
【０００２】
【従来の技術】
従来から、幼児用おむつ等として使い捨ておむつが使用されている。
このような使い捨ておむつとしては、着用者の腰部や腹部にフィットし、保持性に優れることが極めて重要である。
【０００３】
一般に、幼児は肌が柔らかいために、フィット性が悪いとズリ下がりが起き易い。
特に、おむつの着用時、尿等の排泄を行った後は、その股下部が液を吸収することにより自然に重くなる。
その結果、おむつ自体が全体の重量を支え切れず下方へズレ落ちるのである。
そして、極端には、排泄物が太股に付着する事態を生ずる。
このような欠点を補うべく、おむつ自体のズリ下がりを防止するための工夫が多くなされている。
【０００４】
例えば、特開平１０ー１２７６８７号公報には、前身頃に腹部弾性伸縮部材を設けて腹部を締め上げ、且つ後身頃に臀部弾性伸縮部材を設けて臀部を締め上げる構造を採用して、ズリ下がり防止を行う技術が開示されている。
このように、ギャザーを利用して腹部や臀部の締め付け力を高め、ズリ下がり防止機能を期待することは、この他にも幾つか行われている。
しかし、身体への締め付け力を増大させることでズリ下がりを防止することは、逆に、着用性を悪くすることにもなり兼ねず、必ずしも最適な方法ではない。
【０００５】
ここで、図９及び図１０は、上記の従来の形態のパンツ型おむつを示す図面であり、図９は概略正面図であり、図１０はパンツ型おむつの立体化する前のブランクの展開図である。
【０００６】
また図１１は、図９に示すおむつの装着直後の状態の概略正面図（Ａ）及び概略側面図（Ｂ）を示し、図１２は、図９に示すおむつを装着し一定時間経過した後の概略正面図（Ａ）及び概略側面図（Ｂ）を示す。
【０００７】
この形態のパンツ型おむつでは、ウエスト開口部の後身頃Ｂ及び前身頃Ａの上端ラインが直線状である。
パンツ型おむつを装着した場合を想定すると、着用直後は、図１１に示すように胴部を的確に包み込むような状態にあり、別段、問題はない。
ところが、使用しているうちに、前身頃Ａの腹部ギャザーＡＧの部分はそのまま維持されているが、開口部上端、すなわち前身頃Ａの上端領域であるウエスト部ギャザーＷＧが下方にズリ下がってくる（図１２参照）。
言い換えれば、使用中、腰や脚を動かしたりすることで、柔らかい腹部に当接している前身頃Ａの上端領域が落下する。
【０００８】
しかし、腹部ギャザーＡＧの部分は、比較的下方にズレにくいので、落下する上端領域が腹部ギャザーＡＧの下に潜り込む現象が生じる。
図１２（Ｂ）から、その上端領域が落下して腹部ギャザーＡＧの下に潜り込んだ状態が理解できよう。このような状態では、前身頃Ａの上端領域と腹部ギャザーＡＧの部分との間が緩んで浮き上がり、肌との間に空間が生ずる。
そのため、フィット性が低下し、更には、おむつ全体が下方へズレ落ちてしまうのである。従って、従来の締め付け力を強化したパンツ型おむつでは，おむつのズリ下がりを防止することは、まず困難であった。
【０００９】
【発明が解決しようとする課題】
本発明は、上記のような問題点の解決を意図したものである。
即ち、本発明の目的は、着用後のズリ下がりを確実に防止することができるパンツ型おむつを提供することである。
更には、前身頃Ａの上端領域が落下してギャザー部の下に潜り込んでしまうことによるフィット性の低下を防止できるパンツ型おむつを提供することである。
【００１０】
【課題を解決するための手段】
かくして、本発明者等は、このような背景をもとに、鋭意研究を重ねた結果、パンツ型おむつを構成する後身頃Ｂの上端ラインの形状を凸状曲線に形成し、且つこの凸状曲線に沿って弾性伸縮部材が備わることにより、その部分にズリ下がるのを防止するような吊り支え力が発生することを見出し、この知見に基づいて本発明を完成させたものである。
【００１２】
即ち、本発明は、（１）、前身頃、後身頃及び両者間に位置する股下部からなり、少なくとも股下部に吸収体を備え、前身頃と後身頃とが両側部で相互に接合されることにより、ウエスト開口部と両レッグ開口部とが形成されたパンツ型おむつであって、該ウエスト開口部において、後身頃の上端ラインが凸状曲線を成していると共に、この凸状曲線に沿って弾性伸縮部材が備わっており、且つ前身頃の上端ラインが凹状曲線を成していると共に、この凹状曲線に沿って弾性伸縮部材が備わっているパンツ型おむつであって、前記凸状曲線と同一方向に弾性伸縮部材による臀部ギャザーが設けられ、且つ、前記凹状曲線と同一方向に弾性伸縮部材による腹部ギャザーが設けられて、後身頃上端による支え機能が付与されているパンツ型おむつに存する。
このように、ウエスト開口部において、後身頃の上端ラインが凸状曲線を成していると共に、この凸状曲線に沿って弾性伸縮部材が備わっていることから、パンツ型おむつは着用した際、該後身頃Ｂのウエスト部ギャザーＷＧが、パンツ型おむつ全体を吊り支える作用を発揮し、その結果、おむつがズリ下がるのを防止することが可能となる。
また、このように、前身頃の上端ラインが凹状曲線に形成されているため、後身頃のウエスト部ギャザーによる吊り支え力に加えて、腹部の形状にフィットするよう腹部を押し上げるように作用する。
【００１３】
そしてまた、（２）、後身頃の上端ラインにおいて、凸状曲線の最上位置が後身頃中央部に形成されている上記（１）記載のパンツ型おむつに存する。
このように、上端ラインの最上位置が前身頃の中央部に形成されていることで、左右均等に吊り支え力が的確に発揮される。
【００１４】
そしてまた、（３）、前身頃の上端ラインにおいて、凹状曲線の最下位置が前身頃中央部に形成されている上記（１）記載のパンツ型おむつに存する。
このように、上端ラインの最下位置が前身頃の中央部に形成されていることで、左右均等に押し上げる力が的確に発揮される。
【００１６】
そしてまた、（４）、後身頃の後ウエスト部の縦幅が、前身頃の前ウエスト部の縦幅の１２０〜２５０％である上記（１）記載のパンツ型おむつに存する。
【００１７】
本発明は、その目的に沿ったものであれば、上記１〜４の中から選ばれた２つ以上を組み合わせた構成も採用可能である。
【００１８】
【発明の実施の形態】
以下、具体的な実施の形態を挙げ、図面に基づいて本発明を説明する。
本発明のパンツ型おむつの特徴は、後身頃Ｂの上端ラインが上方に凸状曲線に形成され、且つその凸状曲線に沿って（すなわち上端ラインＢＬに沿って）弾性伸縮部材Ｓを配置させることにより、後身頃上端による支え機能が付与されていることである。
【００１９】
〔第１の実施の形態〕
図１は、本発明の実施形態におけるパンツ型おむつを示す概略正面図である。図２は、本発明の実施形態におけるパンツ型おむつの立体化する前のブランクの展開図を示す。
【００２０】
パンツ型おむつは、前身頃Ａ、後身頃Ｂ及び両者間に位置する股下部Ｃからなる。そしてパンツ型おむつの少なくとも股下部Ｃに、その中央領域に吸収体（図示しない）が備わっている。
ここで吸収体は、通常、解繊パルプと高吸収性ポリマーとを透水性のティッシュで包んだ構造となっている。そして、吸収体は図示しない液透過性の表面シートと液不透過性の裏面シートとの間に介在させた状態で取り付けられている。
【００２１】
ここで前身頃Ａは、腹部に当接し、後身頃Ｂは臀部（腰部）に当接する部分である。前身頃Ａと後身頃Ｂとが両側部で接合（固定）することでウエスト開口部１と両レッグ開口部２とが形成された立体状のパンツ型おむつが形成される。
【００２２】
なお、前身頃Ａ、後身頃Ｂ及び股下部Ｃには、少なくとも股下部に吸収体を備えており、例えば吸収体の両端線に沿って長手方向に図示しないバリアカフが形成されている。
このバリアカフは、液不透過性のシートよりなり、起立状の自由縁部には弾性伸縮部材を装備することでギャザー状になって起立が可能である。
バリアカフは、この弾力があることにより吸収体に吸収された尿等の液体が股下から外方に漏れ出すのを防止するものである。
【００２３】
後身頃Ｂの上端ラインＢＬは凸状曲線に形成されており、しかも、その最上位置が後身頃Ｂの中央部に形成されている。
同時に、後身頃Ｂの上端ラインＢＬに沿って複数の弾性伸縮部材Ｓ（例えば、天然ゴム、合成ゴム等よりなる）が止着され、いわゆるギャザー（「ウエスト部ギャザーＷＧ」）が形成されている。
【００２４】
また、後身頃Ｂには、ウエスト部ギャザーＷＧの下程に、弾性伸縮部材Ｓを使ってなる臀部ギャザーＢＧが直線状に形成されている。
このように、ウエスト開口部１においては、後身頃Ｂの上端ラインＢＬが凸状曲線に形成され、且つ、凸状曲線に沿って弾性伸縮部材Ｓが配置されていることにより、腰部の肌面に接触する上端領域の面積が大きくなると共に、後身頃Ｂのウエスト部ギャザーＷＧが、パンツ型おむつ全体を吊り支える作用を発揮し、その結果、おむつがズリ下がるのを防止することが可能となる（支え機能）。
【００２５】
すなわち、後身頃Ｂのウエスト部ギャザーＷＧがパンツ型おむつ全体を斜め上方から吊り支えるように作用するために、前身頃Ａの、特にその上端ラインＡＬの、ズリ下がりが避けられるのである。また凸状曲線の最上位置が後身頃の中央部に形成されていることから、左右均等に吊り支え力が的確に発揮される。
このように、従来のような後身頃の上端ラインが直線上のものに比べて、本発明のもののほうが、着用者に対する保持力が確実に増加するのである。
【００２６】
更に詳細に、本発明のパンツ型おむつを着用した場合の利点を述べる。
図３（Ａ），（Ｂ）は、本発明のパンツ型おむつの装着直後における状態を示す図であり、（Ａ）は概略正面図、また（Ｂ）は概略側面図を示す。
【００２７】
図４（Ａ），（Ｂ）は、本発明のパンツ型おむつを装着し一定時間経過した後の状態を示す図であり、（Ａ）は概略正面図、また（Ｂ）は概略側面図を示す。
【００２８】
この形態のパンツ型おむつを装着した直後は、図３に示すように腰部を的確に包み込むような状態にある。
いま、胴や脚を動かしたりして使用した場合を想定する。
後身頃Ｂの上端ラインＢＬが凸状曲線に形成され、また上端ラインＢＬに沿って弾性伸縮部材Ｓが備わってウエスト部ギャザーＷＧが形成されているために、吊り支え力が発生する〔図４（Ｂ）の矢印参照〕。
そして後身頃Ｂのウエスト部ギャザーＷＧで支え上げ、全体として吊り支え力が大きく発揮できる。
【００２９】
その結果、前身頃Ａの上端領域が下がらないで、丁度、後身頃Ｂにより前身頃Ａを斜め上方向に引っ張り上げている状態となるのである。
そのために、従来のように、前身頃Ａの上端領域が下方に落ちて、腹部ギャザーＡＧの下に潜り込む現象は全く生じない。
従って、前身頃Ａの上端ラインＡＬと腹部ギャザーＡＧとの間の部分が緩んで浮き上がって肌との間に空間が生ずるようなことも、当然、ないのである。
【００３０】
ところで、図２に示すように、本発明のパンツ型おむつにおいて、後身頃Ｂの上端領域と前身頃Ａの上端領域には、下述する後ウエスト部Ｂ１と前ウエスト部Ａ１とが形成されているが、これらのウエスト部の縦幅の長さ関係（下記）を規定することにより、特に、ズリ下がりに対する保持力が極めて有効に働く。
【００３１】
すなわち、後ウエスト部Ｂ１の最大幅（すなわち「後ウエスト部Ｂ１の縦幅Ｌ１」）と、前ウエスト部Ａ１の最大幅の（すなわち「前ウエスト部Ａ１の縦幅Ｌ２」）との比率〔Ｌ１／Ｌ２×１００（％）〕は、実験等によるズレ防止効果の観点から１２０〜２５０％が好ましく、特に１３０〜１８０％が好ましい。
なお、前ウエスト部Ａ１は、前身頃Ａと後身頃Ｂとの両側部の接合部下端を結ぶライン（Ｐ−Ｑ）と前身頃Ａの上端との間の領域をいい、後ウエスト部Ｂ１は、前身頃Ａと後身頃Ｂとの両側部の接合下端を結ぶライン（Ｐ−Ｑ）と後身頃Ｂの上端との間の領域をいう。
【００３２】
〔第２の実施の形態〕
この実施の形態は、後身頃Ｂの上端ラインＢＬが凸状曲線に形成され、ウエスト部ギャザーＷＧもそのラインに沿った曲線に形成されており、後身頃Ｂのウエスト部ギャザーＷＧにより吊り支え力を得ている点では上記の第１の実施の形態と同じである。
加えて、前身頃Ａの上端ラインＡＬでは、第１の実施の形態とは異なり、凹状曲線が形成され、またその上端ラインＡＬに沿って複数の弾性伸縮部材Ｓが備えられたウエスト部ギャザーＷＧが形成されている。
【００３３】
図５は、この第２の実施の形態におけるパンツ型おむつを示す概略正面図であり、図６は、第２の実施の形態におけるパンツ型おむつの立体化する前のブランクの展開図を示す。
【００３４】
このような本発明のパンツ型おむつによれば、後身頃Ｂのウエスト部ギャザーＷＧによる吊り支え力が働くことに加え、前身頃Ａの上端ラインＡＬが腹部の形状にフィットするよう凹状曲線に形成されているため、腹部を押し上げるように作用し、前身頃Ａの上端領域が下方にズリ落ちるのが防止される。
特に幼児の場合は腹部が柔らかいため、上端ラインＡＬが、それを抱くように支持することから極めて効果的である。
また、前身頃Ａの凹状曲線の上端ラインＡＬの最下位置が前身頃Ａの中央部に形成されていることで、左右均等に押し上げる力が的確に発揮される。
【００３５】
〔第３の実施の形態〕
この実施の形態は、後身頃Ｂの上端ラインＢＬが凸状曲線に形成され、前身頃Ａの上端ラインＡＬが凹状曲線に形成されていること、及びウエスト部ギャザーＷＧもそれぞれのラインに沿った曲線に形成されている点では上述した第２の実施の形態と同じである。
加えて、弾性伸縮部材Ｓが、ウエスト部において、後身頃Ｂの上端ラインＢＬや前身頃Ａの上端ラインＡＬの曲線カーブと同一方向となるよう配設されることで、曲線状の前身頃Ａの腹部ギャザーＡＧや後身頃Ｂの臀部ギャザーＢＧが形成されている。
【００３６】
図７は、この第３の実施の形態におけるパンツ型おむつを示す概略正面図であり、図８は、第３の実施の形態におけるパンツ型おむつの立体化する前のブランクの展開図を示す。
このような本発明のパンツ型おむつによれば、腹部ギャザーＡＧによる腹部の押し上げ効果及び臀部ギャザーＢＧによる臀部の持ち上げ効果が更に高まり、着用者へのフィット性がより優れるため、効果をより確実に発揮できる。
また、この曲線カーブの度合いは、適宜、設定変更できるものである。
【００３７】
以上、本発明を説明してきたが、本発明は、実施の形態に限定されるものではなく、その本質から逸脱しない範囲で、他の種々な変形例が可能であることは言うまでもない。
例えば、ウエスト部ギャザーＷＧ、腹部ギャザーＡＧ及び臀部ギャザーＢＧを形成するための弾性伸縮部材Ｓの数は、実施の形態では便宜的に２本で示したが、その数は適宜選択可能である。
また、ギャザーを設ける位置も、この他に適宜選択可能である。
また、後身頃の上端ラインの凸状曲線は、複数の凸状を有する場合も、支え機能を有する限り採用可能である。
更に、本発明のおむつは、幼児に限らず老人を含む全ての年齢層にも対等できることは言うまでもない。
【００３８】
【発明の効果】
パンツ型おむつは、着用した際、ウエスト開口部１の後身頃Ｂの上端ラインＢＬが凸状曲線に形成されており、その上端ラインに沿って弾性伸縮部材Ｓが備わっているために、この後身頃Ｂのウエスト部ギャザーＷＧが、パンツ型おむつ全体を吊り支える作用を発揮し、おむつのズリ下がりを確実に防止することができる。
【００３９】
そのため、従来のように前身頃Ａの上端領域が落下して腹部ギャザーＡＧの下に潜り込むようなことはない。
また、前身頃Ａの上端ラインＡＬが凹状曲線に形成されていることで、後身頃上端によって腹部を押し上げることと相まって、後身頃Ｂの吊り支え力がより効果的に発揮されるものである。
【図面の簡単な説明】
【図１】本発明の実施形態におけるパンツ型おむつを示す概略正面図である。
【図２】本発明の実施形態におけるパンツ型おむつの立体化する前のブランクの展開図を示す。
【図３】本発明のパンツ型おむつの装着直後における状態を示す図であり、（Ａ）は概略正面図、及び（Ｂ）は概略側面図を示す。
【図４】本発明のパンツ型おむつを装着し一定時間経過後の状態を示す図であり、（Ａ）は概略正面図、及び（Ｂ）は概略側面図を示す。
【図５】本発明のパンツ型おむつの他の一例を示す概略正面図である。
【図６】本発明のパンツ型おむつの他の一例における立体化する前のブランクの展開図を示す。
【図７】本発明のパンツ型おむつの他の一例を示す概略正面図である。
【図８】本発明のパンツ型おむつの他の一例における立体化する前のブランクの展開図を示す。
【図９】従来のパンツ型おむつを示す概略正面図である。
【図１０】従来のパンツ型おむつにおける立体化する前のブランクの展開図である。
【図１１】従来のパンツ型おむつを装着前の状態を示す図であり、（Ａ）は概略正面図及び（Ｂ）は概略側面図を示す。
【図１２】従来のパンツ型おむつを装着し一定時間経過後の状態を示す図であり、（Ａ）は概略正面図及び（Ｂ）は概略側面図を示す。
【符号の説明】
１…ウエスト開口部
２…レッグ開口部
Ａ…前身頃
Ｂ…後身頃
Ｃ…股下部
Ａ１…前ウエスト部
Ｂ１…後ウエスト部
ＡＬ…前身頃の上端ライン
ＢＬ…後身頃の上端ライン
ＡＧ…腹部ギャザー
ＢＧ…臀部ギャザー
ＷＧ…ウエスト部ギャザー
Ｓ…弾性伸縮部材
【図１】
0004091784.tif 000002
【図２】
0004091784.tif 000003
【図３】
0004091784.tif 000004
【図４】
0004091784.tif 000005
【図５】
0004091784.tif 000006
【図６】
0004091784.tif 000007
【図７】
0004091784.tif 000008
【図８】
0004091784.tif 000009
【図９】
0004091784.tif 000010
【図１０】
0004091784.tif 000011
【図１１】
0004091784.tif 000012
【図１２】
0004091784.tif 000013